(57)【要約】【課題】直流電動機の同期運転からブラシレス運転への移行期間を短縮するとともに起動直後における加減速を低減する。【解決手段】直流電動機１０は３相の固定子巻線１ｕ，１ｖ，１ｗを備える。位置検出回路４は固定子巻線１ｕ，１ｖ，１ｗの端子電圧を監視して回転子２の回転位置を求め、インバータ回路３および制御回路５は位置検出回路４で求めた回転子２の位置に応じて固定子巻線１ｕ，１ｖ，１ｗへの通電を制御する。制御回路５は、２相ずつの固定子巻線１ｕ，１ｖ，１ｖに互いに逆向きに通電する同期運転の後に、固定子巻線１ｕ，１ｖ，１ｗのうちの１相と残りの２相とに互いに逆向きに通電する同期運転を行い、次に、ブラシレス運転の通電パターンで固定子巻線１ｕ，１ｖ，１ｗを励磁した後に固定子巻線１ｕ，１ｖ，１ｗの端子電圧が基準電圧に達するまでの位相差を用いてブラシレス運転を行う。【選択図】        図１
2004187361.tif 000002
【特許請求の範囲】
【請求項１】
複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機を駆動する方法であって、回転子の回転中における固定子巻線の端子電圧を基準電圧と比較することにより求めた回転子の位置に対して規定の位相差で固定子巻線の通電パターンを切り換えるブラシレス運転を行うにあたり、一部の固定子巻線に通電するとともに通電パターンを切り換える第１の励磁方法での同期運転を、固定子巻線の転流の周波数が規定の周波数に達するまで行い、次に、すべての固定子巻線に通電するとともに通電パターンを切り換える第２の励磁方法での同期運転を、固定子巻線の転流が回転子を１回転以上させる規定回数に達するまで行い、その後、回転子の位置に対応したブラシレス運転の通電パターンで固定子巻線を励磁した後に固定子巻線の端子電圧が前記基準電圧に達するまでの位相差を用いてブラシレス運転を行うことを特徴とする直流電動機の駆動方法。
【請求項２】
複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機を駆動する方法であって、回転子の回転中における固定子巻線の端子電圧を基準電圧と比較することにより求めた回転子の位置に対して規定の位相差で固定子巻線の通電パターンを切り換えるブラシレス運転を行うにあたり、一部の固定子巻線に通電するとともに通電パターンを切り換える第１の励磁方法での同期運転を、固定子巻線の通電パターンが所定の通電パターンになるまで行い、次に、すべての固定子巻線に通電するとともに通電パターンを切り換える第２の励磁方法での同期運転を、固定子巻線が次に転流するまで行い、その後、回転子の位置に対応したブラシレス運転の通電パターンで固定子巻線を励磁した後に固定子巻線の端子電圧が前記基準電圧に達するまでの位相差を用いてブラシレス運転を行うことを特徴とする直流電動機の駆動方法。
【請求項３】
前記固定子巻線は３相であり、前記第１の励磁方法では２相ずつの固定子巻線に互いに逆向きに通電し、前記第２の励磁方法では１相の固定子巻線と残りの２相の固定子巻線とに互いに逆向きに通電することを特徴とする請求項１または請求項２記載の直流電動機の駆動方法。
【請求項４】
複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機を駆動する方法であって、回転子の回転中における固定子巻線の端子電圧を基準電圧と比較することにより求めた回転子の位置に対して規定の位相差で固定子巻線の通電パターンを切り換えるブラシレス運転を行うにあたり、一部の固定子巻線に通電するとともに通電パターンを切り換える励磁方法での同期運転を、固定子巻線の転流の周波数が規定の周波数に達するまで行い、次に、固定子巻線の端子電圧が前記基準電圧に達してから固定子巻線の通電パターンが次に変化するまでの位相差および固定子巻線への印加電圧を求め、その後、同期運転中に求めた前記位相差および前記印加電圧を用いて同期運転からブラシレス運転に滑らかに移行するようにブラシレス運転中の固定子巻線への印加電圧を求め、この印加電圧によりブラシレス運転を開始した後に固定子巻線の端子電圧が前記基準電圧に達してから固定子巻線の通電パターンが変化するまでの位相差を用いてブラシレス運転を行うことを特徴とする直流電動機の駆動方法。
【請求項５】
前記固定子巻線は３相であり、前記励磁方法では２相ずつの固定子巻線に互いに逆向きに通電し、同期運転中の位相差をθｓ、同期運転中の印加電圧をＶｓ、ブラシレス運転中の位相差をθｂ、ブラシレス運転中の印加電圧をＶｂとするときに、Ｖｂ＝Ｖｓ×ｓｉｎ（θｓ−６０°）／ｓｉｎ（θｂ−６０°）となるように、ブラシレス運転中の印加電圧を設定することを特徴とする請求項４記載の直流電動機の駆動方法。
【請求項６】
前記固定子巻線は３相であり、前記励磁方法では２相ずつの固定子巻線に互いに逆向きに通電し、同期運転中の位相差をθｓ、同期運転中の印加電圧をＶｓ、ブラシレス運転中の位相差をθｂ、ブラシレス運転中の印加電圧をＶｂ、Ｋを６０度以上の定数とするときに、Ｖｂ＝Ｖｓ×（Ｋ−｜θｓ−３０°｜／（Ｋ−｜θｂ−３０°｜）となるように、ブラシレス運転中の印加電圧を設定することを特徴とする請求項４記載の直流電動機の駆動方法。
【請求項７】
複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機と、回転子の回転中における固定子巻線の端子電圧を基準電圧と比較することにより求める位置検出回路と、位置検出回路で求めた回転子の位置に対して規定の位相差で固定子巻線の通電パターンを切り換えるブラシレス運転を行う通電制御手段とを備え、通電制御手段は、一部の固定子巻線に通電するとともに通電パターンを切り換える第１の励磁方法での同期運転を、固定子巻線の転流の周波数が規定の周波数に達するまで行い、次に、すべての固定子巻線に通電するとともに通電パターンを切り換える第２の励磁方法での同期運転を、固定子巻線の転流が回転子を１回転以上させる規定回数に達するまで行い、その後、回転子の位置に対応したブラシレス運転の通電パターンで固定子巻線を励磁した後に固定子巻線の端子電圧が前記基準電圧に達するまでの位相差を用いてブラシレス運転を行うことを特徴とする直流電動機の駆動装置。
【請求項８】
複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機と、回転子の回転中における固定子巻線の端子電圧を基準電圧と比較することにより求める位置検出回路と、位置検出回路で求めた回転子の位置に対して規定の位相差で固定子巻線の通電パターンを切り換えるブラシレス運転を行う通電制御手段とを備え、通電制御手段は、一部の固定子巻線に通電するとともに通電パターンを切り換える第１の励磁方法での同期運転を、固定子巻線の通電パターンが所定の通電パターンになるまで行い、次に、すべての固定子巻線に通電するとともに通電パターンを切り換える第２の励磁方法での同期運転を、固定子巻線が次に転流するまで行い、その後、回転子の位置に対応したブラシレス運転の通電パターンで固定子巻線を励磁した後に固定子巻線の端子電圧が前記基準電圧に達するまでの位相差を用いてブラシレス運転を行うことを特徴とする直流電動機の駆動装置。
【請求項９】
複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機と、回転子の回転中における固定子巻線の端子電圧を基準電圧と比較することにより求める位置検出回路と、位置検出回路で求めた回転子の位置に対して規定の位相差で固定子巻線の通電パターンを切り換えるブラシレス運転を行う通電制御手段とを備え、通電制御手段は、一部の固定子巻線に通電するとともに通電パターンを切り換える励磁方法での同期運転を、固定子巻線の転流の周波数が規定の周波数に達するまで行い、次に、固定子巻線の端子電圧が前記基準電圧に達してから固定子巻線の通電パターンが次に変化するまでの位相差および固定子巻線への印加電圧を求め、その後、同期運転中に求めた前記位相差および前記印加電圧を用いて同期運転からブラシレス運転に滑らかに移行するようにブラシレス運転中の固定子巻線への印加電圧を求め、この印加電圧によりブラシレス運転を開始した後に固定子巻線の端子電圧が前記基準電圧に達してから固定子巻線の通電パターンが変化するまでの位相差を用いてブラシレス運転を行うことを特徴とする直流電動機の駆動装置。
【発明の詳細な説明】
【０００１】
【発明の属する技術分野】
本発明は、固定子巻線に生じる逆起電力に基づいて回転子の位置を検出し、固定子巻線の転流のタイミングを制御する直流電動機の駆動方法および直流電動機の駆動装置に関するものである。
【０００２】
【従来の技術】
一般に、複数個の固定子巻線と、固定子巻線との磁気的に相互作用（つまり、吸引力および反発力）により固定子巻線に対して回転する回転子とを備える構成の直流電動機が提供されている。この種の直流電動機には、回転子の位置を検出せずに各固定子巻線の転流のタイミングを適当に切り換えて回転子を回転させる同期電動機と、回転子の位置を検出するとともに回転子の位置に応じて固定子巻線への通電のタイミングを切り換えるフィードバック制御を行って回転子を回転させるブラシレス電動機とが知られている。ブラシレス電動機における回転子の位置の検出器としてはホール素子が知られているが、ホール素子を用いる代わりに固定子巻線の端子電圧から逆起電力を検出することによって回転子の位置を検出するブラシレス電動機も知られている。
【０００３】
ところで、回転子が回転していなければ固定子巻線には逆起電力が生じないから、固定子巻線の端子電圧を監視することによって回転子の位置を検出するブラシレス電動機では、起動時には同期電動機として動作させる必要がある。つまり、この種のブラシレス電動機は、起動時には同期電動機としての動作モードで動作させ（以下、「同期運転」という）、回転子が所定の速度に達した後に、回転子の位置を検出してブラシレス電動機としての動作モードで動作させる（以下、「ブラシレス運転」という）ことになる。
【０００４】
この種の技術としては、起動時に固定子巻線に通電して回転子を所定位置に位置付けた後、所定の周波数で各相の固定子巻線に順に通電することにより、同期運転によって回転子を回転させ、さらに回転子が所定速度まで加速されると、固定子巻線の通電電流を減少させて出力を低減し、次に、固定子巻線の端子電圧から検出した回転子の位置と固定子巻線に印加する所定周波数の電圧との位相差がブラシレス運転の可能な位相差になったときに、ブラシレス運転を開始するものが知られている（たとえば、特許文献１参照）。
【０００５】
上述の技術において、回転子が所定速度まで加速された後に固定子巻線の通電電流を減少させているのは、同期運転時とブラシレス運転時とでは回転子の位置に対する転流のタイミングが異なっており、同期運転からブラシレス運転に直接移行させると回転子が脱調して停止してしまうことがあるからである。そこで、固定子巻線への通電電流を減少させることによって回転子を減速させ、回転子がブラシレス運転が可能な位置に達したときにブラシレス運転を開始させるようにしている。
【０００６】
【特許文献１】
特開平７−３０８０９２号公報（第２−３頁、図１、６）
【０００７】
【発明が解決しようとする課題】
ところで、特許文献１に記載された技術では、同期運転からブラシレス運転への移行期間において、同期運転を継続させながらも固定子巻線への通電電流を減少させることによって、回転子がブラシレス運転の可能な位置に達するのを待つ構成を採用している。つまり、通電電流を減少させることにより言わば脱調させるのであって、回転子を減速してからブラシレス運転が可能になるまでの移行期間は負荷の大きさなどに依存しているから、移行期間の長さは一意に決まらず移行期間が比較的長くなる可能性がある。また、移行期間においては回転子が減速するから回転子により駆動される負荷も減速されることになり、直流電動機の起動直後において負荷の加減速が大きくなるという問題もある。
【０００８】
本発明は上記事由に鑑みて為されたものであり、その目的は、同期運転からブラシレス運転への移行期間を短くするとともに、起動直後における加減速を低減した直流電動機の駆動方法および直流電動機の駆動装置を提供することにある。
【０００９】
【課題を解決するための手段】
請求項１ないし請求項６の発明は直流電動機の駆動方法に関する。
【００１０】
請求項１の発明は、複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機を駆動する方法であって、回転子の回転中における固定子巻線の端子電圧を基準電圧と比較することにより求めた回転子の位置に対して規定の位相差で固定子巻線の通電パターンを切り換えるブラシレス運転を行うにあたり、一部の固定子巻線に通電するとともに通電パターンを切り換える第１の励磁方法での同期運転を、固定子巻線の転流の周波数が規定の周波数に達するまで行い、次に、すべての固定子巻線に通電するとともに通電パターンを切り換える第２の励磁方法での同期運転を、固定子巻線の転流が回転子を１回転以上させる規定回数に達するまで行い、その後、回転子の位置に対応したブラシレス運転の通電パターンで固定子巻線を励磁した後に固定子巻線の端子電圧が前記基準電圧に達するまでの位相差を用いてブラシレス運転を行うことを特徴とする。
【００１１】
請求項２の発明は、複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機を駆動する方法であって、回転子の回転中における固定子巻線の端子電圧を基準電圧と比較することにより求めた回転子の位置に対して規定の位相差で固定子巻線の通電パターンを切り換えるブラシレス運転を行うにあたり、一部の固定子巻線に通電するとともに通電パターンを切り換える第１の励磁方法での同期運転を、固定子巻線の通電パターンが所定の通電パターンになるまで行い、次に、すべての固定子巻線に通電するとともに通電パターンを切り換える第２の励磁方法での同期運転を、固定子巻線が次に転流するまで行い、その後、回転子の位置に対応したブラシレス運転の通電パターンで固定子巻線を励磁した後に固定子巻線の端子電圧が前記基準電圧に達するまでの位相差を用いてブラシレス運転を行うことを特徴とする。
【００１２】
請求項３の発明では、請求項１または請求項２の発明において、前記固定子巻線は３相であり、前記第１の励磁方法では２相ずつの固定子巻線に互いに逆向きに通電し、前記第２の励磁方法では１相の固定子巻線と残りの２相の固定子巻線とに互いに逆向きに通電することを特徴とする。
【００１３】
請求項４の発明は、複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機を駆動する方法であって、回転子の回転中における固定子巻線の端子電圧を基準電圧と比較することにより求めた回転子の位置に対して規定の位相差で固定子巻線の通電パターンを切り換えるブラシレス運転を行うにあたり、一部の固定子巻線に通電するとともに通電パターンを切り換える励磁方法での同期運転を、固定子巻線の転流の周波数が規定の周波数に達するまで行い、次に、固定子巻線の端子電圧が前記基準電圧に達してから固定子巻線の通電パターンが次に変化するまでの位相差および固定子巻線への印加電圧を求め、その後、同期運転中に求めた前記位相差および前記印加電圧を用いて同期運転からブラシレス運転に滑らかに移行するようにブラシレス運転中の固定子巻線への印加電圧を求め、この印加電圧によりブラシレス運転を開始した後に固定子巻線の端子電圧が前記基準電圧に達してから固定子巻線の通電パターンが変化するまでの位相差を用いてブラシレス運転を行うことを特徴とする。
【００１４】
請求項５の発明では、請求項４の発明において、前記固定子巻線は３相であり、前記励磁方法では２相ずつの固定子巻線に互いに逆向きに通電し、同期運転中の位相差をθｓ、同期運転中の印加電圧をＶｓ、ブラシレス運転中の位相差をθｂ、ブラシレス運転中の印加電圧をＶｂとするときに、Ｖｂ＝Ｖｓ×ｓｉｎ（θｓ−６０°）／ｓｉｎ（θｂ−６０°）となるように、ブラシレス運転中の印加電圧を設定することを特徴とする。
【００１５】
請求項６の発明では、請求項４の発明において、前記固定子巻線は３相であり、前記励磁方法では２相ずつの固定子巻線に互いに逆向きに通電し、同期運転中の位相差をθｓ、同期運転中の印加電圧をＶｓ、ブラシレス運転中の位相差をθｂ、ブラシレス運転中の印加電圧をＶｂ、Ｋを６０度以上の定数とするときに、Ｖｂ＝Ｖｓ×（Ｋ−｜θｓ−３０°｜／（Ｋ−｜θｂ−３０°｜）となるように、ブラシレス運転中の印加電圧を設定することを特徴とする。
【００１６】
請求項７ないし請求項９の発明は直流電動機の駆動装置に関する。
【００１７】
請求項７の発明は、複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機と、回転子の回転中における固定子巻線の端子電圧を基準電圧と比較することにより求める位置検出回路と、位置検出回路で求めた回転子の位置に対して規定の位相差で固定子巻線の通電パターンを切り換えるブラシレス運転を行う通電制御手段とを備え、通電制御手段は、一部の固定子巻線に通電するとともに通電パターンを切り換える第１の励磁方法での同期運転を、固定子巻線の転流の周波数が規定の周波数に達するまで行い、次に、すべての固定子巻線に通電するとともに通電パターンを切り換える第２の励磁方法での同期運転を、固定子巻線の転流が回転子を１回転以上させる規定回数に達するまで行い、その後、回転子の位置に対応したブラシレス運転の通電パターンで固定子巻線を励磁した後に固定子巻線の端子電圧が前記基準電圧に達するまでの位相差を用いてブラシレス運転を行うことを特徴とする。
【００１８】
請求項８の発明は、複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機と、回転子の回転中における固定子巻線の端子電圧を基準電圧と比較することにより求める位置検出回路と、位置検出回路で求めた回転子の位置に対して規定の位相差で固定子巻線の通電パターンを切り換えるブラシレス運転を行う通電制御手段とを備え、通電制御手段は、一部の固定子巻線に通電するとともに通電パターンを切り換える第１の励磁方法での同期運転を、固定子巻線の通電パターンが所定の通電パターンになるまで行い、次に、すべての固定子巻線に通電するとともに通電パターンを切り換える第２の励磁方法での同期運転を、固定子巻線が次に転流するまで行い、その後、回転子の位置に対応したブラシレス運転の通電パターンで固定子巻線を励磁した後に固定子巻線の端子電圧が前記基準電圧に達するまでの位相差を用いてブラシレス運転を行うことを特徴とする。
【００１９】
請求項９の発明は、複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機と、回転子の回転中における固定子巻線の端子電圧を基準電圧と比較することにより求める位置検出回路と、位置検出回路で求めた回転子の位置に対して規定の位相差で固定子巻線の通電パターンを切り換えるブラシレス運転を行う通電制御手段とを備え、通電制御手段は、一部の固定子巻線に通電するとともに通電パターンを切り換える第１の励磁方法での同期運転を、固定子巻線の転流の周波数が規定の周波数に達するまで行い、次に、固定子巻線の端子電圧が前記基準電圧に達してから固定子巻線の通電パターンが次に変化するまでの位相差および固定子巻線への印加電圧を求め、その後、同期運転中に求めた前記位相差および前記印加電圧を用いて同期運転からブラシレス運転に滑らかに移行するようにブラシレス運転中の固定子巻線への印加電圧を求め、この印加電圧によりブラシレス運転を開始した後に固定子巻線の端子電圧が前記基準電圧に達してから固定子巻線の通電パターンが変化するまでの位相差を用いてブラシレス運転を行うことを特徴とする。
【００２０】
【発明の実施の形態】
以下に説明する実施形態では、３個の固定子巻線をスター結線するとともに、回転子が回転する形式の３相の直流電動機を例示するが、固定子巻線の相数についてとくに制限はない。また、回転子として永久磁石を用いた例を示すが、回転子に電磁石を用いることも可能である。
【００２１】
（実施形態１）
図１に示すように、直流電動機１０はスター結線された３個の固定子巻線１ｕ，１ｖ，１ｗを備え、固定子巻線１ｕ，１ｖ，１ｗに対応する６極の固定子磁極（図示せず）を備える。固定子磁極は１つの円周上に６０度間隔で等間隔に配列される。回転子２は固定子磁極を配列した円周の中心を中心として回転可能になるように配置される。また、回転子２は永久磁石を備え回転中心を中心として周方向に複数の磁極を有する。固定子磁極および回転子２の極数は２極、４極、８極など適宜に設定される。回転子２の磁極は固定子磁極との間で磁気的な相互作用が生じるように配置される。
【００２２】
３個の固定子巻線１ｕ，１ｖ，１ｗには、直流電源Ｅからインバータ回路３を介して電圧が印加される。インバータ回路３は、スイッチング素子Ｑ１ｕ，Ｑ２ｕ、Ｑ１ｖ，Ｑ２ｖ、Ｑ１ｗ，Ｑ２ｗを２個ずつ直列接続した３組の直列回路を直流電源Ｅの両端間にそれぞれ接続し、外部からの制御信号を受けるドライブ回路３ａによって各スイッチング素子Ｑ１ｕ，Ｑ２ｕ、Ｑ１ｖ，Ｑ２ｖ、Ｑ１ｗ，Ｑ２ｗをオンオフさせるように構成されている。また、直列接続された各２個のスイッチング素子Ｑ１ｕ，Ｑ２ｕ、Ｑ１ｖ，Ｑ２ｖ、Ｑ１ｗ，Ｑ２ｗの接続点には各固定子巻線１ｕ，１ｖ，１ｗの一端が接続される。ここに、固定子巻線１ｕ，１ｖ，１ｗはスター結線されているから、各固定子巻線１ｕ，１ｖ，１ｗの他端は当然ながら互いに接続されている。
【００２３】
各スイッチング素子Ｑ１ｕ，Ｑ２ｕ、Ｑ１ｖ，Ｑ２ｖ、Ｑ１ｗ，Ｑ２ｗは、それぞれダイオードＤ１ｕ，Ｄ２ｕ、Ｄ１ｖ，Ｄ２ｖ、Ｄ１ｗ，Ｄ２ｗとして図示している環流経路を備える。環流経路は、スイッチング素子Ｑ１ｕ，Ｑ２ｕ、Ｑ１ｖ，Ｑ２ｖ、Ｑ１ｗ，Ｑ２ｗのオフ時にオン時とは逆向きの電流が通電可能となる経路を意味する。したがって、スイッチング素子Ｑ１ｕ，Ｑ２ｕ、Ｑ１ｖ，Ｑ２ｖ、Ｑ１ｗ，Ｑ２ｗをＭＯＳＦＥＴにより構成する場合には、ＭＯＳＦＥＴのボディダイオードがダイオードＤ１ｕ，Ｄ２ｕ、Ｄ１ｖ，Ｄ２ｖ、Ｄ１ｗ，Ｄ２ｗとして機能することになり、環流経路を形成するための外付部品は不要になる。
【００２４】
各固定子巻線１ｕ，１ｖ，１ｗの上記一端にはそれぞれ固定子巻線１ｕ，１ｖ，１ｗの端子電圧Ｖｕ，Ｖｖ，Ｖｗを監視することによって回転子２の位置を検出する位置検出回路４が設けられる。位置検出回路４は端子電圧Ｖｕ，Ｖｖ，Ｖｗを基準電圧Ｖｔ（直流電源Ｅの２分の１に相当する電圧）と比較し、端子電圧Ｖｕ，Ｖｖ，Ｖｗが基準電圧Ｖｔを通過した時点でタイミング信号である位置検出信号を出力する。位置検出回路４から出力された位置検出信号は制御回路５に入力され、制御回路５では位置検出信号の発生タイミングに基づいてスイッチング素子Ｑ１ｕ，Ｑ２ｕ、Ｑ１ｖ，Ｑ２ｖ、Ｑ１ｗ，Ｑ２ｗをオンオフさせるための制御信号を生成する。制御回路５からの制御信号はドライブ回路３ａに入力されスイッチング素子Ｑ１ｕ，Ｑ２ｕ、Ｑ１ｖ，Ｑ２ｖ、Ｑ１ｗ，Ｑ２ｗのオンオフを制御する。要するに、インバータ回路３および制御回路５によって固定子巻線１ｕ，１ｖ，１ｗの通電を制御する通電制御手段が構成される。ここに、制御回路５は、たとえばマイクロコンピュータを用いて実現される。
【００２５】
制御回路５では位置検出回路４から出力される位置検出信号に基づいて回転子２の回転速度を監視しており、回転子２の回転速度が規定した速度（図示していないが、目標値として内部で設定されるか外部から与えられる）に保たれるように、各スイッチング素子Ｑ１ｕ，Ｑ２ｕ、Ｑ１ｖ，Ｑ２ｖ、Ｑ１ｗ，Ｑ２ｗのＰＷＭ制御を行う。つまり、各スイッチング素子Ｑ１ｕ，Ｑ２ｕ、Ｑ１ｖ，Ｑ２ｖ、Ｑ１ｗ，Ｑ２ｗの通電期間においてスイッチング素子Ｑ１ｕ，Ｑ２ｕ、Ｑ１ｖ，Ｑ２ｖ、Ｑ１ｗ，Ｑ２ｗを高周波でオンオフするチョッパ制御を行うとともに、チョッパ制御の際のオンデューティを調節する。周知のように固定子巻線１ｕ，１ｖ，１ｗに通電するにはスイッチング素子Ｑ１ｕ，Ｑ２ｕ、Ｑ１ｖ，Ｑ２ｖ、Ｑ１ｗ，Ｑ２ｗのうちの２個をオンにする必要があるから、チョッパ制御の際には、固定子巻線１ｕ，１ｖ，１ｗに通電するために用いる２個のスイッチング素子Ｑ１ｕ，Ｑ２ｕ、Ｑ１ｖ，Ｑ２ｖ、Ｑ１ｗ，Ｑ２ｗのうちの一方をオンに保ち、他方を高周波でオンオフさせるようにすればよい。たとえば、固定子巻線１ｕ，１ｖの直列回路に固定子巻線１ｕから固定子巻線１ｖに向かって通電するには、スイッチング素子Ｑ１ｕとスイッチング素子Ｑ２ｖとをオンにする必要があるから、固定子巻線１ｕ，１ｖの直列回路に通電する期間においてスイッチング素子Ｑ１ｕをオンに保つとともにスイッチング素子Ｑ２ｖを高周波でオンオフさせれば、チョッパ制御が可能になる。なお、以下の説明において固定子巻線１ｕ，１ｖ，１ｗの端子電圧Ｖｕ，Ｖｖ，Ｖｗはチョッパ制御による平均値を意味する。つまり、端子電圧Ｖｕ，Ｖｖ，Ｖｗは制御信号のオンデューティに相当する値になる。
【００２６】
次に制御回路５の動作を説明する。制御回路５は、電源が投入されると、まず２相ずつの固定子巻線１ｕ，１ｖ，１ｗに互いに逆向きに通電する同期運転を行い（以下では、この同期運転の状態を「同期運転１」と呼び、このときの励磁方法を「励磁方法１」と呼ぶ）、次に１相の固定子巻線１ｕ，１ｖ，１ｗと残りの２相の固定子巻線１ｕ，１ｖ，１ｗとに互いに逆向きに通電する同期運転を行った後に（以下では、この同期運転の状態を「同期運転２」と呼び、このときの励磁方法を「励磁方法２」と呼ぶ）、ブラシレス運転に移行することを特徴としている。ここで、起動直後の同期運転とブラシレス運転とはともに２相ずつの固定子巻線１ｕ，１ｖ，１ｗに通電する励磁方法であるが、回転子２の回転位置に対する転流のタイミングが異なるから同期運転１からブラシレス運転に直接移行すると脱調することになる。そこで、本実施形態では同期運転１から同期運転２を経て、ブラシレス運転に移行させているのであって、同期運転２の間には回転子２の回転方向において隣接する固定子磁極の一方と回転子２との間で反発力が作用し、他方と回転子２との間で吸引力が作用するから、同期運転１の期間よりも回転子２のトルクが大きくなる。つまり、同期運転２の期間には固定子巻線１ｕ，１ｖ，１ｗの転流のタイミングと回転子２の回転位置とは負荷が比較的大きい場合でも規定の関係に保たれることになる。したがって、同期運転２を行って回転子２の回転数が安定した状態からブラシレス運転に移行する場合には、負荷の大きさによらず所定のタイミングで移行することが可能になる。しかも、後述するように同期運転１から同期運転２への移行時、および同期運転２からブラシレス運転への移行時には回転子２に対する吸引力および反発力の急激な変化がなく、結果的に起動直後における急激な加減速が生じないのである。
【００２７】
各運転状態での各部の信号を図２に示す。図２では同期運転１の期間をＴ１、同期運転２の期間をＴ２、ブラシレス運転の期間をＴ３で表している。また、図２（ａ）は電気角θｍを示しており、図２（ｂ）〜（ｄ）はドライブ回路３ａから出力される各相の制御信号Ｖｕ＊  ，Ｖｖ＊  ，Ｖｗ＊  を示し、図２（ｅ）〜（ｇ）は各固定子巻線１ｕ，１ｖ，１ｗの端子電圧Ｖｕ，Ｖｖ，Ｖｗを示し、図２（ｈ）〜（ｊ）は各固定子巻線１ｕ，１ｖ，１ｗの通過電流Ｉｕ，Ｉｖ，Ｉｗを示している。また、図２（ｈ）〜（ｊ）において正極性は対応する固定子巻線１ｕ，１ｖ，１ｗに直流電源Ｅの正極から電流が流れる状態を示し、負極性は対応する固定子巻線１ｕ，１ｖ，１ｗから直流電源Ｅの負極に電流が流れる状態を示している。
【００２８】
同期運転１を行う期間Ｔ１においては、図２（ｂ）〜（ｄ）に示すように、２個ずつの固定子巻線１ｕ，１ｖ，１ｗに電流を流すのであって、各固定子巻線１ｕ，１ｖ，１ｗに電流を流す期間は電気角で１２０度に相当する期間に設定している。また、通電される２相の固定子巻線１ｕ，１ｖ，１ｗの電流の向きは互いに逆向きにする。この期間Ｔ１においては通電を停止した固定子巻線１ｕ，１ｖ，１ｗに対応する固定子磁極から回転子２の磁極が離れる向きに回転子２が回転する。つまり、回転子２の回転方向において隣接する一対の固定子磁極のうち、固定子巻線１ｕ，１ｖ，１ｗへの通電が停止された固定子磁極に隣接する固定子磁極と回転子２の磁極との間に作用する吸引力によって回転子２が回転する。
【００２９】
一方、同期運転２を行う期間Ｔ２においては、３個の固定子巻線１ｕ，１ｖ，１ｗに同時に電流を流しており、各固定子巻線１ｕ，１ｖ，１ｗに電流を流す期間は電気角で１８０度に相当する期間に設定している。また、３相の固定子巻線１ｕ，１ｖ，１ｗのうちの１相と他の２相とには互いに逆向きに通電する。この期間Ｔ２においては回転子２の磁極が固定子磁極に重なるタイミングで転流する。したがって、回転子２の磁極は回転子２の回転方向において隣接する一対の固定子磁極のうちの一方からは反発力を受け、他方からは吸引力を受ける。このように、同期運転２を行うと同期運転１の場合よりも回転子２に作用する磁力が大きくなり、回転子２のトルクが大きくなる。つまり、負荷が比較的大きい場合でも固定子磁極に対する回転子２の相対位置を正確に制御することが可能になる。ここで、図２を見るとわかるように、励磁方法１から励磁方法２に移行するときの固定子巻線１ｕ，１ｖ，１ｗの端子電圧（図２（ｅ）〜（ｇ））および各固定子巻線１ｕ，１ｖ，１ｗの通過電流（図２（ｈ）〜（ｊ））の変化は小さいから、回転子２の急激な加速は生じない。ただし、回転子２に作用するトルクには変化が生じるから、この期間Ｔ２はトルクが安定する程度の時間は継続させる。図示例では期間Ｔ２を回転子２が１．５回転する程度の時間としており、具体的には、いずれかの固定子巻線１ｕ，１ｖ，１ｗで転流する回数を計数し、転流が規定回数に達したときにブラシレス運転に移行させるようにしてある。また、期間Ｔ１から期間Ｔ２への移行に際しては回転子２の回転数が同期運転２に対応可能となっている必要があるから、同期運転１を行っている期間Ｔ１において転流の周波数を求め、この周波数が規定の周波数に達したときに同期運転２に移行させる。
【００３０】
ブラシレス運転を行う期間Ｔ３においては、同期運転１の場合と同様に、２個ずつの固定子巻線１ｕ，１ｖ，１ｗに互いに逆向きに電流を流す。ただし、この期間Ｔ２においては回転子２の回転方向において隣接する一対の固定子磁極と回転子２の磁極との間で反発力が作用し、同期運転１に比較すると大きなトルクが生じる。同期運転２からブラシレス運転に移行するときには、まず上述のように同期運転２によるトルクが安定した後に、ブラシレス運転の励磁方法になるように固定子巻線１ｕ，１ｖ，１ｗに印加する電圧を変化させる。励磁方法２からブラシレス運転の励磁方法に変化すると、１個の固定子巻線１ｕ，１ｖ，１ｗについては通電経路が遮断されるから、この固定子巻線１ｕ，１ｖ，１ｗには逆起電力が生じ、この固定子巻線１ｕ，１ｖ，１ｗの端子電圧Ｖｕ，Ｖｖ，Ｖｗが次第に減少して基準電圧Ｖｔを通過する。ここに、位置検出回路４は固定子巻線１ｕ，１ｖ，１ｗの端子電圧Ｖｕ，Ｖｖ，Ｖｗが基準電圧Ｖｔを通過する時点を求めているのであって、基準電圧Ｖｔの通過時点は位置検出信号の発生時点に対応する。図２では期間Ｔ２から期間Ｔ３への移行に際して、固定子巻線１ｗに対応するスイッチング素子Ｑ１ｗ，Ｑ２ｗがオフになり（図２（ｄ）の電圧Ｖｗ＊  が０になっている）、図２（ｇ）のように固定子巻線１ｗの端子電圧Ｖｗが減少して基準電圧Ｖｔを通過している。このように、励磁方法２からブラシレス運転の励磁方法になるように制御してから固定子巻線１ｕ，１ｖ，１ｗの端子電圧Ｖｕ，Ｖｖ，Ｖｗが基準電圧Ｖｔになるまでの時間（位相差θｂ）を求める。
【００３１】
このようにして求めた位相差θｂは、固定子巻線１ｕ，１ｖ，１ｗの端子電圧Ｖｕ，Ｖｖ，Ｖｗが基準電圧Ｖｔになってから、固定子巻線１ｕ，１ｖ，１ｗの転流までの時間（位相差）に相当する。したがって、励磁方法２からブラシレス運転の励磁方法に移行した時点で制御回路５において位相差θを求めた後には、固定子巻線１ｕ，１ｖ，１ｗの端子電圧Ｖｕ，Ｖｖ，Ｖｗが基準電圧Ｖｔになるタイミングを位置検出回路４で検出し、位置検出回路４から位置検出信号が出力されるタイミングから位相差θｂだけ遅れて転流させれば、ブラシレス運転が可能になるのである。
【００３２】
本実施形態における制御回路５の動作を図３に示す。すなわち、本実施形態では、起動直後に励磁方法１による同期運転１を行った後（Ｓ１）、転流の周波数が規定の周波数に達すると（Ｓ２）、励磁方法２による同期運転２を開始する（Ｓ３）。同期運転２は転流の回数が規定回数（Ｎ１）に達したときに（Ｓ４）、ブラシレス運転の励磁を行って位相差θｂを求め（Ｓ５）、求めた位相差θｂを用いてブラシレス運転を行う（Ｓ６）。なお、ステップＳ４において転流回数が規定回数に達するまでは転流を繰り返すのである（Ｓ７）。
【００３３】
（実施形態２）
本実施形態は、同期運転１を行う期間Ｔ１から同期運転２を行う期間Ｔ２に移行する際の条件として、転流の周波数ではなく、所定の通電パターンを用いている。また、同期運転２を行う期間Ｔ２からブラシレス運転の期間Ｔ３に移行する条件として、転流回数ではなく、同期運転２を１つの通電パターンのみ行うようにしている。
【００３４】
すなわち、図４に示すように、同期運転１の期間Ｔ１において特定の通電パターンになると、同期運転２に移行する。図示例では、期間Ｔ１から期間Ｔ２に移行する条件として、固定子巻線１ｕ，１ｖ，１ｗの端子電圧（Ｖｕ，Ｖｖ，Ｖｗ）が（負，０，正）となる通電パターンを選択している。ただし、図示例では同期運転２に移行する際のトルク変化を低減するために、回転子２が１回転以上してから上記条件が成立すると期間Ｔ１から期間Ｔ２に移行するようにしてある。
【００３５】
上述した条件が成立した後に、同期運転２を行う期間Ｔ２に移行すると、次に転流するタイミングでブラシレス運転の励磁方法になる通電を行い、このときの位相差θｂを求める。つまり、期間Ｔ１から期間Ｔ２に移行する条件が成立した時点から回転子２が６０度回転する間に一旦は同期運転２になるが、期間Ｔ１から期間Ｔ２に移行する条件が成立してから回転子２が６０度回転すると、位相差θｂを求めるとともにブラシレス運転を行う期間Ｔ３に移行する。ここに、期間Ｔ２において固定子巻線１ｕ，１ｖ，１ｗを通過する電流は、期間Ｔ１において固定子巻線１ｕ，１ｖ，１ｗの通過電流の最大値に対して、それぞれ、０６６倍、０．６６倍、１．３３倍になる。つまり、回転子２が６０度程度回転する間に励磁方法２によって回転子２が加速されるが、回転子２の速度変化は大きくなく、ブラシレス運転に滑らかに移行させることができる。また、図示例では固定子巻線１ｗに対応するスイッチング素子Ｑ１ｗ，Ｑ２ｗのみ電流が増加するから、スイッチング素子Ｑ１ｗ，Ｑ２ｗのみ電流定格の大きいものを用いればよいのであって、すべてのスイッチング素子Ｑ１ｕ，Ｑ２ｕ，Ｑ１ｖ，Ｑ２ｖ，Ｑ１ｗ，Ｑ２ｗを用いる場合に比較するとコスト増を抑制することができる。なお、図４において期間Ｔ１から期間Ｔ２に移行する条件が成立した後に、励磁方法２を行うまでに若干の時間遅れがあるが、これは条件判定から制御までの時間遅れに相当する。
【００３６】
本実施形態における制御回路５の動作を図５に示す。すなわち、本実施形態では、起動直後に励磁方法１による同期運転１を行った後（Ｓ１）、所定の通電パターンが成立すると（Ｓ２）、励磁方法２による同期運転２を開始する（Ｓ３）。同期運転２は次に転流するまでの期間であって、転流時点でブラシレス運転の励磁方法になるように通電して位相差θｂを求め（Ｓ４）、求めた位相差θｂを用いてブラシレス運転を行う（Ｓ５）。他の構成および動作は実施形態１と同様である。
【００３７】
（実施形態３）
上述した各実施形態では励磁方法１の同期運転１から励磁方法２の同期運転２を一旦行った後にブラシレス運転に移行する構成を採用したが、本実施形態は同期運転１からブラシレス運転に移行可能とした例を説明する。
【００３８】
本実施形態では、図６に示すように、励磁方法１である同期運転１を行う期間Ｔ１において、転流の周波数が回転子２の回転が安定する程度の規定の周波数に達したことを条件として、この条件の成立時点でのいずれかの固定子巻線１ｕ，１ｖ，１ｗへの端子電圧Ｖｕ，Ｖｖ，Ｖｗ（以下では、同期運転時の印加電圧をＶｓで表す）を求めるとともに、当該固定子巻線１ｕ，１ｖ，１ｗの印加電圧Ｖｓが規定の基準電圧Ｖｔを通過した時点から次に転流するまでの位相差θｓを求める。同期運転１の期間Ｔ１の印加電圧Ｖｓおよび位相差θｓは制御回路５において記憶され、印加電圧Ｖｓおよび位相差θｓの記憶を完了すると、位置検出信号により検出した回転子２の位置に対応させてブラシレス運転の励磁状態に移行させる。ただし、ブラシレス運転の励磁状態に移行する際に、固定子巻線１ｕ，１ｖ，１ｗの端子電圧Ｖｕ，Ｖｖ，Ｖｗ（以下では、ブラシレス運転時の印加電圧をＶｂで表す）を期間Ｔ１に対して変化させる。つまり、上述した各実施形態では同期運転とブラシレス運転とにおいて、固定子巻線１ｕ，１ｖ，１ｗの印加電圧Ｖｓ、Ｖｂを実質的に変化させていなかったのに対して、本実施形態では同期運転からブラシレス運転に移行するときに印加電圧Ｖｓ、Ｖｂを変化させて、同期運転とブラシレス運転とでの発生トルクをほぼ一致させる。
【００３９】
ブラシレス運転の印加電圧Ｖｂを決定する方法について以下に説明する。本実施形態において用いる３相の固定子巻線１ｕ，１ｖ，１ｗを有し固定子磁極が６極である直流電動機では、位置検出信号の発生時点から固定子巻線１ｕ，１ｖ，１ｗの転流までの位相差θと、固定子巻線１ｕ，１ｖ，１ｗの端子電圧Ｖと、発生トルクＴｍとの間に次式の関係がある。次式は発生トルクＴｍが位相差θに対して正弦波特性を持つことを意味している。
Ｔｍ＝ｋ・Ｖ×ｓｉｎ（θ＋６０°）
ただし、ｋは定数である。したがって、同期運転１の期間Ｔ１におけるトルクとブラシレス運転の期間Ｔ３におけるトルクとを一致させるには、ブラシレス運転における固定子巻線１ｕ，１ｖ，１ｗの印加電圧Ｖｂの条件として、次式を成立させる必要がある。
Ｖｂ＝Ｖｓ×ｓｉｎ（θｓ＋６０°）／ｓｉｎ（θｂ＋６０°）
ただし、期間Ｔ１からブラシレス運転の励磁状態に移行する時点では位相差θｂが決定されておらず、したがって印加電圧Ｖｂも決定することができない。そこで、ブラシレス運転の励磁状態に移行する時点では位相差θｂを３０度に設定して印加電圧Ｖｂを求める。これは、位相差θｂが３０度のときに固定子巻線１ｕ，１ｖ，１ｗの通過電流に対する発生トルクが最大になるからであって、発生トルクが最大になるときの値を印加電圧Ｖｂに用いることによって、同期運転に対するトルク差を小さくし脱調を防止することができるからである。このようにしてブラシレス運転の期間Ｔ３に移行すると、上述した条件で求めた印加電圧Ｖｂを用いて、印加電圧Ｖｂが次に基準電圧Ｖｔを通過した時点から次の転流までの位相差θｂを求め、以後のブラシレス運転に用いる。
【００４０】
本実施形態における制御回路５の動作を図７に示す。本実施形態では、起動直後に励磁方法１による同期運転１を行った後（Ｓ１）、転流の周波数が規定の周波数に達すると（Ｓ２）、固定子巻線１ｕ，１ｖ，１ｗの印加電圧Ｖｓおよび位相差θｓを求めて記憶する（Ｓ３）。さらに位相差θｂを３０度に設定した印加電圧Ｖｂを用いてブラシレス運転の励磁を行い（Ｓ４）、この励磁状態において求めた位相差θｂを用いてブラシレス運転を行う（Ｓ５）。他の構成および動作は実施形態１と同様である。
【００４１】
（実施形態４）
本実施形態は、ブラシレス運転での固定子巻線１ｕ，１ｖ，１ｗの印加電圧Ｖｂを決定する条件を実施形態３とは異ならせたものである。すなわち、印加電圧Ｖｂを次式で決定する。
Ｖｂ＝Ｖｓ×（Ｋ−｜θｓ−３０°｜）／（Ｋ−｜θｂ−３０°｜）
ただし、Ｋは６０度以上の定数である。
【００４２】
本実施形態では、位相差θｂが３０度のときに固定子巻線１ｕ，１ｖ，１ｗの通過電流に対する発生トルクが最大になり、その前後では発生トルクが小さくなることに鑑みて上記条件を設定してある。他の構成および動作は実施形態３と同様である。ただし、本実施形態において印加電圧Ｖｂを求める演算は四則演算のみであり、演算が容易であるから制御回路５の構成が簡単になる。
【００４３】
すなわち、本実施形態における制御回路５は図８に示すように動作する。まず、起動直後には励磁方法１による同期運転１を行い（Ｓ１）、転流の周波数が規定の周波数に達すると（Ｓ２）、固定子巻線１ｕ，１ｖ，１ｗの印加電圧Ｖｓおよび位相差θｓを求めて記憶する（Ｓ３）。さらに位相差θｂを３０度に設定した印加電圧Ｖｂを用いてブラシレス運転の励磁を行い（Ｓ４）、この励磁状態において求めた位相差θｂを用いてブラシレス運転を行うのである（Ｓ５）。
【００４４】
【発明の効果】
請求項１、７の発明は、一部の固定子巻線に通電するとともに通電パターンを切り換える第１の励磁方法での同期運転を、固定子巻線の転流の周波数が規定の周波数に達するまで行い、次に、すべての固定子巻線に通電するとともに通電パターンを切り換える第２の励磁方法での同期運転を、固定子巻線の転流が回転子を１回転以上させる規定回数に達するまで行い、その後、回転子の位置に対応したブラシレス運転の通電パターンで固定子巻線を励磁した後に固定子巻線の端子電圧が基準電圧に達するまでの位相差を用いてブラシレス運転を行うものであり、まず一部の固定子巻線に通電して同期運転を行うことで直流電動機を起動し、その後、すべての固定子巻線に通電する同期運転を行うことで出力を増大させ転流のタイミングと回転子の位置との位相差をほぼ一定にしてブラシレス運転に必要な位相差を求めるから、負荷が比較的大きい場合でも同期運転からブラシレス運転に移行させる際に、脱調したり急激な加減速を生じたりすることなく滑らかに移行させることができるという利点がある。しかも、第２の励磁方法での励磁期間にはすべての固定子巻線に通電して大きなトルクを発生させているから、この期間は一定期間とすることができ、従来構成のように同期運転からブラシレス運転への移行期間が不確定にならず移行期間を従来構成よりも短縮することができる。
【００４５】
請求項２、８の発明は、一部の固定子巻線に通電するとともに通電パターンを切り換える第１の励磁方法での同期運転を、固定子巻線の通電パターンが所定の通電パターンになるまで行い、次に、すべての固定子巻線に通電するとともに通電パターンを切り換える第２の励磁方法での同期運転を、固定子巻線が次に転流するまで行い、その後、回転子の位置に対応したブラシレス運転の通電パターンで固定子巻線を励磁した後に固定子巻線の端子電圧が基準電圧に達するまでの位相差を用いてブラシレス運転を行うものであり、まず一部の固定子巻線に通電して同期運転を行うことで直流電動機を起動し、その後、すべての固定子巻線に通電する同期運転を行うことで出力を増大させ転流のタイミングと回転子の位置との位相差をほぼ一定にしてブラシレス運転に必要な位相差を求めるから、負荷が比較的大きい場合でも同期運転からブラシレス運転に移行させる際に、脱調したり急激な加減速を生じたりすることなく滑らかに移行させることができるという利点がある。しかも、第２の励磁方法での励磁期間にはすべての固定子巻線に通電して大きなトルクを発生させかつ第２の励磁方法は次に転流するまでの期間だけであるから、従来構成のように同期運転からブラシレス運転への移行期間が不確定にならず移行期間を従来構成よりも大幅に短縮することができる。
【００４６】
請求項３の発明では、請求項１または請求項２の発明において、固定子巻線は３相であり、第１の励磁方法では２相ずつの固定子巻線に互いに逆向きに通電し、前記の励磁方法では１相の固定子巻線と残りの２相の固定子巻線とに互いに逆向きに通電するので、３相の直流電動機を簡単な励磁方法で起動することができる。
【００４７】
請求項４、９の発明は、一部の固定子巻線に通電するとともに通電パターンを切り換える励磁方法での同期運転を、固定子巻線の転流の周波数が規定の周波数に達するまで行い、次に、固定子巻線の端子電圧が基準電圧に達してから固定子巻線の通電パターンが次に変化するまでの位相差および固定子巻線への印加電圧を求め、その後、同期運転中に求めた位相差および印加電圧を用いて同期運転からブラシレス運転に滑らかに移行するようにブラシレス運転中の固定子巻線への印加電圧を求め、この印加電圧によりブラシレス運転を開始した後に固定子巻線の端子電圧が基準電圧に達してから固定子巻線の通電パターンが変化するまでの位相差を用いてブラシレス運転を行うものであり、まず一部の固定子巻線に通電して同期運転を行うことで直流電動機を起動し、その後、ブラシレス運転に移行する際に同期運転からブラシレス運転に滑らかに移行するように固定子巻線への印加電圧を求め、求めた印加電圧でブラシレス運転を開始するから、負荷の大きさに応じてブラシレス運転時の印加電圧が調節されることになり、同期運転からブラシレス運転に移行させる際に、脱調したり急激な加減速を生じたりすることなく滑らかに移行させることができるという利点がある。しかも、同期運転からブラシレス運転に直接移行させることができるから、同期運転からブラシレス運転への移行期間が不要になるという利点がある。
【００４８】
請求項５の発明では、請求項４の発明において、固定子巻線は３相であり、同期運転では２相ずつの固定子巻線に互いに逆向きに通電し、同期運転中の位相差をθｓ、同期運転中の印加電圧をＶｓ、ブラシレス運転中の位相差をθｂ、ブラシレス運転中の印加電圧をＶｂとするときに、Ｖｂ＝Ｖｓ×ｓｉｎ（θｓ−６０°）／ｓｉｎ（θｂ−６０°）となるように、ブラシレス運転中の印加電圧を設定するので、同期運転からブラシレス運転への移行時に発生トルクの変化を小さくすることになり、同期運転からブラシレス運転への移行時の振動の発生が低減される。
【００４９】
請求項６の発明では、請求項４の発明において、固定子巻線は３相であり、同期運転では２相ずつの固定子巻線に互いに逆向きに通電し、同期運転中の位相差をθｓ、同期運転中の印加電圧をＶｓ、ブラシレス運転中の位相差をθｂ、ブラシレス運転中の印加電圧をＶｂ、Ｋを６０度以上の定数とするときに、Ｖｂ＝Ｖｓ×（Ｋ−｜θｓ−３０°｜／（Ｋ−｜θｂ−３０°｜）となるように、ブラシレス運転中の印加電圧を設定するので、ブラシレス運転の際の印加電圧を四則演算で求めることができるから、印加電圧を求める演算処理が簡単になる。
【図面の簡単な説明】
【図１】本発明の実施形態を示す回路図である。
【図２】本発明の実施形態１を示す動作説明図である。
【図３】同上に用いる制御回路の動作説明図である。
【図４】本発明の実施形態２を示す動作説明図である。
【図５】同上に用いる制御回路の動作説明図である。
【図６】本発明の実施形態３を示す動作説明図である。
【図７】同上に用いる制御回路の動作説明図である。
【図８】本発明の実施形態４に用いる制御回路の動作説明図である。
【符号の説明】
１ｕ，１ｖ，１ｗ  固定子巻線
２  回転子
３  インバータ回路
３ａ  ドライブ回路
４  位置検出回路
５  制御回路
１０  直流電動機
Ｅ  直流電源
【図１】
2004187361.tif 000003
【図２】
2004187361.tif 000004
【図３】
2004187361.tif 000005
【図４】
2004187361.tif 000006
【図５】
2004187361.tif 000007
【図６】
2004187361.tif 000008
【図７】
2004187361.tif 000009
【図８】
2004187361.tif 000010